(57)【特許請求の範囲】
【請求項１】
縦姿勢及び横姿勢で使用可能であり、縦姿勢で使用する際に用いる補助機器の着脱が可能な撮像装置であって、
表示手段と、
前記撮像装置の姿勢が横姿勢であるか縦姿勢であるかに応じて、前記表示手段での表示態様を切替える表示態様切替手段と、
を備え、
前記補助機器は、
前記補助機器に係る電源のオン・オフを切替える切替手段と、
前記電源のオン・オフに基づき、前記撮像装置に装着された補助機器が使用されている使用状態か否かを検知する検知手段と、
を有し、
前記表示態様切替手段は、
前記補助機器の検知手段での検知結果に基づき、前記撮像装置の姿勢を判定する手段を有する
撮像装置。
【請求項２】
撮像装置に着脱が可能で前記撮像装置を縦姿勢にて使用する際に用いる補助機器であっ
て、
前記補助機器に係る電源のオン・オフを切替える切替手段と、
前記電源のオン・オフに基づき、前記撮像装置に装着された補助機器が使用されている使用状態か否かを検知する検知手段と、
を備え、
前記撮像装置は、
表示手段と、
前記補助機器の検知手段での検知結果に基づき判定される撮像装置の姿勢が横姿勢であるか縦姿勢であるかに応じて、前記表示手段での表示態様を切替える表示態様切替手段と、
を有する補助機器。
【請求項３】
縦姿勢及び横姿勢で使用可能な撮像装置と、前記撮像装置に着脱が可能で前記撮像装置を縦姿勢にて使用する際に用いる補助機器とを有する撮像システムであって、
前記補助機器は、
前記補助機器に係る電源のオン・オフを切替える切替手段と、
前記電源のオン・オフに基づき、前記撮像装置に装着された補助機器が使用されている使用状態か否かを検知する検知手段と、
を備え、
前記撮像装置は、
表示手段と、
前記補助機器の検知手段での検知結果に基づき判定される撮像装置の姿勢が横姿勢であるか縦姿勢であるかに応じて、前記表示手段での表示態様を切替える表示態様切替手段と、
を備える撮像システム。
【発明の詳細な説明】
【技術分野】
【０００１】
本発明は、表示手段を有する撮像装置の技術に関する。
【背景技術】
【０００２】
デジタルカメラ等の撮像装置においては、撮像装置が横姿勢であるか縦姿勢であるかを検出し、検出された姿勢に応じて液晶モニタ等の表示手段における表示態様を切替えるものがある。
【０００３】
上記の姿勢検出に関する技術としては、例えば特許文献１に開示されるものがある。この技術によれば、水銀を利用した姿勢検出スイッチによって撮像装置の姿勢が検出されるようになっている。
【０００４】
また、横姿勢での撮影の際および縦姿勢での撮影の際に用いられる２つのレリーズボタンを設けて、いずれのレリーズボタンが操作されたかで撮像装置の姿勢を検出する技術も知られてる（例えば特許文献２参照）。
【０００５】
【特許文献１】特開２００１−３０５６３６号公報
【特許文献２】特開２００１−３３８６５号公報
【発明の開示】
【発明が解決しようとする課題】
【０００６】
しかしながら、上記特許文献１の技術においては、姿勢検出スイッチを設ける必要があるため、その分、構成が複雑になるとともに、撮像装置を斜めに傾斜させた姿勢では横姿勢であるか縦姿勢であるかの的確な検出が難しくなるため、適切な表示態様による表示を行えない場合がある。
【０００７】
一方、上記特許文献２の技術では、いずれかのレリーズボタンが操作されるまで撮像装置の姿勢が検出できないため、レリーズボタン操作までの間には適切な表示態様による表示を行えない可能性がある。
【０００８】
本発明は、上記課題に鑑みてなされたものであり、横姿勢・縦姿勢を簡易に検出して適切な表示態様による表示を行える撮像装置の技術を提供することを目的とする。
【課題を解決するための手段】
【０００９】
本発明の第１の側面は、縦姿勢及び横姿勢で使用可能であり、縦姿勢で使用する際に用いる補助機器の着脱が可能な撮像装置であって、表示手段と、前記撮像装置の姿勢が横姿勢であるか縦姿勢であるかに応じて、前記表示手段での表示態様を切替える表示態様切替手段とを備え、前記補助機器は、前記補助機器に係る電源のオン・オフを切替える切替手段と、前記電源のオン・オフに基づき、前記撮像装置に装着された補助機器が使用されている使用状態か否かを検知する検知手段とを有し、前記表示態様切替手段は、前記補助機器の検知手段での検知結果に基づき、前記撮像装置の姿勢を判定する手段を有することを特徴とする。
【００１０】
また、本発明の第２の側面は、撮像装置に着脱が可能で前記撮像装置を縦姿勢にて使用する際に用いる補助機器であって、前記補助機器に係る電源のオン・オフを切替える切替手段と、前記電源のオン・オフに基づき、前記撮像装置に装着された補助機器が使用されている使用状態か否かを検知する検知手段とを備え、前記撮像装置は、表示手段と、前記補助機器の検知手段での検知結果に基づき判定される撮像装置の姿勢が横姿勢であるか縦姿勢であるかに応じて、前記表示手段での表示態様を切替える表示態様切替手段とを有することを特徴とする。
【００１１】
また、本発明の第３の側面は、縦姿勢及び横姿勢で使用可能な撮像装置と、前記撮像装置に着脱が可能で前記撮像装置を縦姿勢にて使用する際に用いる補助機器とを有する撮像システムであって、前記補助機器は、前記補助機器に係る電源のオン・オフを切替える切替手段と、前記電源のオン・オフに基づき、前記撮像装置に装着された補助機器が使用されている使用状態か否かを検知する検知手段とを備え、前記撮像装置は、表示手段と、前記補助機器の検知手段での検知結果に基づき判定される撮像装置の姿勢が横姿勢であるか縦姿勢であるかに応じて、前記表示手段での表示態様を切替える表示態様切替手段とを備えることを特徴とする。
【発明の効果】
【００１２】
本発明によれば、撮像装置を縦姿勢で使用する際に用いる補助機器が使用されている使用状態か否かを検知する検知手段での検知結果に基づき撮像装置の姿勢を判定し、その撮像装置の姿勢が横姿勢であるか縦姿勢であるかに応じて表示手段での表示態様を切替えるため、横姿勢・縦姿勢を簡易に検出して適切な表示態様による表示を行える。
【発明を実施するための最良の形態】
【００１３】
＜第１実施形態＞
＜撮像装置の要部構成＞
図１および図２は、本発明の実施形態に係る撮像装置１の外観構成を示す図である。図１は、撮像装置１の背面外観図であり、図２は、撮像装置１の上面外観図である。この撮像装置１は、レンズ交換式一眼レフレックスタイプのデジタルカメラとして構成されている。なお、図１においては、撮像装置１の標準姿勢である横姿勢で撮影する際の右手の指ＦＧを併せて示している。
【００１４】
図２等に示すように、撮像装置１は、カメラ本体部（カメラボディ）２を備えている。また、このカメラ本体部２に対して、交換式の撮影レンズユニット（交換レンズ）３が着脱可能である。
【００１５】
撮影レンズユニット３は、主として、鏡胴３６、ならびに、鏡胴３６の内部に設けられるレンズ群及び絞り等によって構成される。このレンズ群には、光軸方向に移動することによって焦点位置を変更するフォーカスレンズ等が含まれている。
【００１６】
カメラ本体部２は、撮影レンズユニット３が装着される円環状のマウント部を正面略中央に備え、撮影レンズユニット３を着脱するための着脱ボタン８９を円環状のマウント部付近に備えている。
【００１７】
また、カメラ本体部２は、正面左端部（背面から見て右側）にユーザが把持するためのグリップ部１４を備えている。グリップ部１４の上面前側には露光開始等を指示するためのシャッターボタン１１が設けられている。グリップ部１４の内部には電池収納室とカード収納室とが設けられている。電池収納室にはカメラの電源として使用される電池が収納されており、カード収納室には撮影画像の画像データを記録するためのメモリカードが着脱可能に収納されるようになっている。
【００１８】
シャッターボタン１１は、半押し状態（Ｓ１状態）と全押し状態（Ｓ２状態）との２つの状態を検出可能な２段階検出ボタンである。シャッターボタン１１が半押しされＳ１状態になると、被写体に関する記録用静止画像（本撮影画像）を取得するための準備動作（例えば、ＡＦ制御動作およびＡＥ制御動作等）が行われる。また、シャッターボタン１１がさらに押し込まれてＳ２状態になると、本撮影の撮影動作（撮像素子４１(図５参照)を用いて被写体像に関する露光動作を行い、その露光動作によって得られた画像信号に所定の画像処理を施す一連の動作）が行われる。
【００１９】
図１において、カメラ本体部２の背面略中央上部には、光学ファインダ１０が設けられている。光学ファインダ１０には、撮影レンズユニット３からの被写体像が導かれる。ユーザは、光学ファインダ１０を覗くことによって、被写体を視認することができる。より具体的には、撮影レンズユニット３を通過してきた被写体像を、カメラ本体部２の内部に設けられたミラー機構で上方に反射させ、ペンタプリズムを通した像を接眼レンズを介して見ることで、被写体像を視認することができる。このように、光学ファインダ１０を用いて構図決めを行うことが可能である。なお、本撮影時においては、ミラー機構は被写体像の光路から待避し、撮影レンズユニット３からの光がシャッタの開放タイミングに合わせて撮像素子４１(図５参照)に到達し、被写体に係る撮影画像（撮影画像データ）が得られる。
【００２０】
カメラ本体部２の背面の略中央（より詳細には若干左寄りの位置）には、背面モニタ１２が設けられている。背面モニタ１２は、例えばカラー液晶ディスプレイ（ＬＣＤ）として構成される。背面モニタ１２は、撮影条件等を設定するためのメニュー画面を表示したり、再生モードにおいてメモリカードに記録された撮影画像を再生表示したりすることが可能な表示部である。
【００２１】
カメラ本体部２の背面右下部、より詳細には背面モニタ１２の右下部には、電源スイッチ８１が設けられている。電源スイッチ８１はレバー式スイッチとして構成され、電源スイッチ８１のレバー部を左方の「ＯＦＦ」位置に設定すると、電源がオフになり、当該レバー部を右方の「ＯＮ」位置に設定すると、電源がオンになる。
【００２２】
カメラ本体部２の背面右上部、より詳細には背面モニタ１２の右側には、マルチセレクタ８３が設けられている。このマルチセレクタ８３は、ジョイスティックタイプの操作部材であり、そのスティック部８３ｅを上下左右の４方向に傾ける操作をそれぞれ検出することが可能であるとともに、当該スティック部８３ｅの押下操作をも検出することが可能である。
【００２３】
また、カメラ本体部２の背面右上部、より詳細には背面モニタ１２の右側かつマルチセレクタ８３の上側には、後側コマンドダイヤル８２と、ＡＦ／ＭＦコントロールボタン８４と、ＡＥロックボタン８５と、再生ボタン８６とが設けられている。
【００２４】
後側コマンドダイヤル８２は、回転式の操作部材であり、その回転操作に応じて各種の設定内容を変更することが可能である。
【００２５】
ＡＦ／ＭＦコントロールボタン８４は、オートフォーカス（ＡＦ）とマニュアルフォーカス（ＭＦ）との切り換え指示を受け付けるボタンである。撮影状態において、このボタン８４を押下するごとに、オートフォーカス（ＡＦ）とマニュアルフォーカス（ＭＦ）とが順次に切り替わる。
【００２６】
ＡＥロックボタン８５は、撮影時において自動露光動作によって調整された露光状態を固定する「ＡＥロック」の指示を受け付けるボタンである。
【００２７】
再生ボタン８６は、再生モードへの変更指示を受け付けるボタンである。撮影モードにおいて再生ボタン８６が押下されると、撮影装置１は再生モードに移行し、撮影済み画像が背面モニタ１２に表示される。
【００２８】
また、カメラ本体部２の背面左側部、より詳細には背面モニタ１２の左側には、メニューボタン８７と、ファンクションボタン８８ａと、メモリー切換ボタン８８ｂと、画質調整ボタン８８ｃと、画面切換ボタン８８ｄとが設けられている。
【００２９】
メニューボタン８７は、メニュー画面の表示機能（呼出機能）を実現するボタンである。メニューボタン８７が押下されると、各種設定を行うための複数の項目を有するメニュー画面が背面モニタ１２に表示される。
【００３０】
ファンクションボタン８８ａは、上記メニュー画面に含まれる複数の項目のうちの一部の項目に関するサブメニュー画面を背面モニタ１２に表示させる機能（呼出機能）を実現するボタンである。例えば、撮影時にファンクションボタン８８ａが押下されると撮影用のメニュー画面が背面モニタ１２に表示され、再生時にファンクションボタン８８ａが押下されると再生用のメニュー画面が背面モニタ１２に表示される。
【００３１】
メモリー切換ボタン８８ｂは、撮影画像の記録先の記録媒体（メモリカード等）を切り換えるボタンである。この撮像装置１においては、複数の種類のメモリカードを撮像装置１内の各所定位置にいずれも装填しておくことが可能である。メモリー切換ボタン８８ｂの押下操作等によれば、複数の種類のメモリカードが装填された場合にいずれの種類のメモリカードを記録先として選択するかを予め設定しておくことができる。
【００３２】
画質調整ボタン８８ｃは、記録画像の画質（スタンダード、ファイン、ＲＡＷ等）を選択的に設定するためのボタンである。記録画像の画質は、圧縮（ＪＰＥＧ圧縮等）の有無を切り換えること、あるいは圧縮記録時の圧縮率を切り換えることによって、変更される。
【００３３】
画面切換ボタン８８ｄは、再生画像に重畳的に撮影情報を表示させるか否か、および重畳的に表示する撮影情報の内容を切り換えるボタンである。例えば、画面切換ボタン８８ｄの押下によって、再生画像のみを表示する画面と、再生画像上に文字情報を重畳的に表示させる画面と、輝度に関するヒストグラムを再生画像上に重畳的に表示させる画面とを、選択的且つ循環的に切り換えることが可能である。
【００３４】
また、図２に示すように、カメラ本体部２の上面には、モード設定ボタン９２と、ライトボタン９３と、ホワイトバランスボタン９４ａと、ＩＳＯ感度ボタン９４ｂと、露出補正ボタン９４ｃと、調光補正ボタン９４ｄと、液晶表示パネル９６とが設けられている。また、シャッターボタン１１の前側には、前側コマンドダイヤル９１が設けられている。
【００３５】
前側コマンドダイヤル９１は、回転式の操作部材であり、その回転操作に応じて各種の設定内容を変更することが可能である。
【００３６】
モード設定ボタン９２は、カメラの各種モードの設定動作（切替動作）を行うための操作部材である。モード設定ボタン９２を押下するごとに、設定内容が順次に（且つ循環的に）変更され、設定内容が決定される。このようなモード設定ボタン９２の押下操作によって、各種撮影モード（具体的には、Ｐモード（プログラムモード）、Ａモード（絞り優先モード）、Ｓモード（シャッタスピード優先モード）、Ｍモード（マニュアルモード）、人物撮影モード、風景撮影モード、およびフルオート撮影モード等）のうちから、所望のモードを選択することができる。
【００３７】
ホワイトバランスボタン９４ａは、ホワイトバランスの調整を行うためのボタンであり、ＩＳＯ感度ボタン９４ｂは、ＩＳＯ感度の調整を行うためのボタンである。露出補正ボタン９４ｃは、画像全体の明るさを補正する露出補正を行うためのボタンであり、調光補正ボタン９４ｄは、フラッシュの発光量を調整する調光補正を行うためのボタンである。
【００３８】
液晶表示パネル９６は、現在の各種設定内容を表示する表示部である。液晶表示パネル９６のバックライトのオンおよびオフは、ライトボタン９３の押下操作に応じて変更される。
【００３９】
また、後側コマンドダイヤル８２あるいは前側コマンドダイヤル９１を操作することによれば、各種撮影モードにおける制御値を設定することが可能である。例えば、Ｓモード（シャッタスピード優先モード）においては、前側コマンドダイヤル９１の回転操作によって複数段階の設定可能値の中から所望のシャッタスピードを選択することが可能である。さらに、ＩＳＯ感度ボタン９４ｂの押下後に、前側コマンドダイヤル９１を回転させることによって、複数段階の設定可能値の中から所望の値を選択してＩＳＯ感度値を設定することが可能である。同様に、ホワイトバランスボタン９４ａと前側コマンドダイヤル９１との組合せ、露出補正ボタン９４ｃと前側コマンドダイヤル９１との組合せ、あるいは、調光補正ボタン９４ｄと前側コマンドダイヤル９１との組合せによっても、同様の設定操作でそれぞれのボタンに対応する設定内容を決定することが可能である。なお、前側コマンドダイヤル９１に代えて後側コマンドダイヤル８２を使用することによっても同様の設定操作を行うことが可能である。
【００４０】
次に、撮像装置１に着脱自在であって、撮像装置１の横姿勢(標準姿勢)から９０度程度回転させた縦姿勢(非標準姿勢)で撮像装置１を使用する際に用いる補助機器として働く縦位置コントロールグリップ７の構成を説明する。
【００４１】
図３は、撮像装置１に装着された縦位置コントロールグリップ７の構成を示す背面外観図である。また、図４は、撮像装置１から取り外された縦位置コントールグリップ７の構成を示す正面外観図である。なお、図３においては、縦姿勢で撮影する際の右手の指ＦＧを併せて示している。以下では、図３および図４を参照しつつ、縦位置コントロールグリップ７の構成を説明する。
【００４２】
縦位置コントロールグリップ７は、ユーザによって把持されるグリップ部７０と、電源スイッチ７１とモード設定ボタン７２とマルチセレクタ７３とＡＦ／ＭＦコントロールボタン７４とＡＥロックボタン７５とを備えている。一方、縦位置コントロールグリップ７には、突出部７９が設けられているが、この突出部７９を例えばカメラ本体部２のグリップ部１４に設けられた電池収納室に収納することによりカメラ本体部２に縦位置コントロールグリップ７が装着されることとなる。
【００４３】
グリップ部７０には、シャッターボタン１１と同様の構成を有するシャッターボタン７６と、前側コマンドダイヤル９１と同様の構成を有するコマンドダイアル７７と、ユーザがグリップ部７０を把持したことを検出する把持検出部７８とが設けられている。シャッターボタン７６は、撮像装置１の縦姿勢において、シャッターボタン１１と同様の操作感で撮影開始指示等を入力することが可能である。また、把持検出部７８は、例えば圧力センサからなるグリップセンサとして構成されており、縦位置コントロールグリップ７のグリップ部７０がユーザによって把持されているか否かを検出する。
【００４４】
電源スイッチ７１は、電源スイッチ８１と同様の構成を有している。すなわち、電源スイッチ７１はレバー式スイッチとして構成され、電源スイッチ７１のレバー部を左方または右方に傾けることで縦位置コントロールグリップ７に関する電源のオン・オフが切替えられる。この電源スイッチ７１によって電源がオンされると、縦位置コントロールグリップ７の操作部材(モード設定ボタン７２やマルチセレクタ７３、シャッターボタン７６等)に割り付けられた機能がアクティブになる。
【００４５】
モード設定ボタン７２、マルチセレクタ７３、ＡＦ／ＭＦコントロールボタン７４およびＡＥロックボタン７５は、それぞれ、モード設定ボタン９２（図２参照）、マルチセレクタ８３（図１参照）、ＡＦ／ＭＦコントロールボタン８４およびＡＥロックボタン８５と同様の構成を有しており、同様の機能を実現する。これらの操作部材７２〜７５は、図３のように縦姿勢における背面右側に配置されており、高い操作性を有している。
【００４６】
縦位置コントロールグリップ７が図４に示す方向Ｄｕに沿ってカメラ本体部２の底部に装着された状態では、突起部７９ｔに設けられた端子部７９ｔ(平行斜線部)を介して縦位置コントロールグリップ７とカメラ本体部２との両者が電気的に接続され、各種操作部材７１〜７７の操作状態等が撮像装置１の制御部６(図５参照)に伝達されるように構成されている。そのため、ユーザは、縦姿勢による撮影の際、各操作部材７２，７３，７４，７５，７６，７７を操作することによって、それぞれ対応する操作部材９２，８３，８４，８５，１１，９１による操作で実現される機能と同様の機能を実現することが可能である。
【００４７】
以上のような縦位置コントロールグリップ７と撮像装置１とを備える撮像システム（カメラシステム）１００に関しての電気的構成について、以下で説明する。
【００４８】
＜撮像システム１００の電気的構成＞
図５は、撮像システム１００の電気的な構成を示すブロック図である。ここで、図１〜図４と同一の部材等については、同一の符号を付している。
【００４９】
撮像システム１００における撮像装置１は、撮像装置１に関するカメラ機構の制御(カメラ制御)を担当する制御部６と、撮像部４で生成された画像信号に対して画像処理を施す画像処理部５とを備えている。また、撮像システム１００は、背面モニタ１２に表示する文字情報等の画面を生成するＯＳＤ生成部５１と、画像処理部５で処理された画像等を記憶する画像記憶部５２とを備えている。
【００５０】
制御部６は、例えばＣＰＵを有して構成されており、撮像装置１において撮影動作時の制御等を行う部位である。
【００５１】
撮像部４は、撮像素子４１と、撮像素子４１から出力されるアナログ信号をデジタル信号に変換するＡ／Ｄ変換部４２とを備えている。
【００５２】
撮像素子４１は、カメラ本体部２に撮影レンズユニット３が装着された場合の当該撮影レンズユニット３が備えているレンズ群の光軸上において、その光軸に対して垂直となる方向に配置されている。この撮像素子４１としては、例えばフォトダイオードを有して構成される複数の画素がマトリクス状に２次元配置され、各画素の受光面に、それぞれ分光特性の異なる例えばＲ（赤）、Ｇ（緑）、Ｂ（青）のカラーフィルタが１：２：１の比率で配設されてなるベイヤー配列のＣＭＯＳカラーエリアセンサ（ＣＭＯＳ型のイメージセンサ）が用いられる。このような撮像素子４１では、撮影レンズユニット３を通って結像された被写体光像に関するＲ（赤）、Ｇ（緑）、Ｂ（青）各色成分のアナログの電気信号（画像信号）を生成し、Ｒ、Ｇ、Ｂ各色の画像信号が出力される。
【００５３】
画像処理部５は、撮像部４から入力される画像データに対してデジタル信号処理を施す部位である。この画像処理部５では、撮像部４から出力された画像データに関する黒レベルを基準の黒レベルに補正する黒レベル補正や、画像データに関するホワイトバランス調整を行うホワイトバランス補正等の画像処理が行われる。
【００５４】
ＯＳＤ(On Screen Display)生成部５１は、制御部６から送られるＯＳＤ制御信号に基づき、撮影に必要な情報、例えばシャッタースピードや絞りに関して現在設定されている設定値を表す文字情報やアイコンなどが配置された画面を生成する部位である。
【００５５】
画像記憶部５２は、画像処理部５で処理された画像データを一時的に記憶するための、高速アクセス可能な画像メモリ(例えばＤＲＡＭ)として構成されており、複数フレーム分の画像データを記憶可能な容量を有している。
【００５６】
画像記憶部５２に一時記憶される画像データは、画像処理部５によって背面モニタ１２に画像表示することも可能である。これによって、撮影画像を確認するための確認表示（アフタービュー）、および撮影済みの画像を再生する再生表示等が実現される。
【００５７】
＜横姿勢・縦姿勢での表示態様＞
撮像装置１においては、その姿勢が図１に示すような横姿勢であるか図３に示すような縦姿勢であるかに応じて背面モニタ１２での表示態様、具体的には横姿勢に適した表示態様（以下では「横用の表示態様」と略称する）と縦姿勢に適した表示態様（以下では「縦用の表示態様」と略称する）との切替えが可能である。これらの表示態様について詳しく説明する。
【００５８】
撮影モードにおける撮影前(シャッターボタン押下前)の背面モニタ１２には、撮像装置１の横姿勢にて例えば図６(ａ)に示す横用の表示態様での表示が行われるとともに、撮像装置１の縦姿勢にて例えば図６(ｂ)に示す縦用の表示態様での表示が行われる。これらの横用・縦用の表示形態は、図５に示すように制御部６から送信される縦横制御信号(後述)に基づきＯＳＤ生成部５１で生成される。
【００５９】
一方、撮影後に画像記憶部５２に記憶された撮影画像をアフタービュー表示する際や、メモリカードに格納された撮影画像を再生表示する際の背面モニタ１２にも、撮像装置１の横姿勢・縦姿勢に応じた適切な表示形態による表示が行われるようになっている。
【００６０】
例えば撮像装置１の縦姿勢で撮影された撮影画像Ｇｖ０(図７)を背面モニタ１２に表示する際には、撮像装置１が撮影時と同じ縦姿勢の場合、撮影画像Ｇｖ０の画素配列を変更せず、そのまま背面モニタ１２に縦用の表示態様として表示する。一方、撮像装置１が撮影時と異なる横姿勢の場合には、撮影画像Ｇｖ０の四隅を図７中の矢印Ｔｖ１〜４のように配置変更させて画素配列を反時計回りに９０度回転させた回転画像Ｇｖ１の左右に黒画像Ｂｋを配置した表示用の画像Ｇｄを横用の表示態様として背面モニタ１２に表示する。この表示用の画像Ｇｄは、画像処理部５において撮影画像Ｇｖ０の画素配列の並び替え等が行われることで生成される。
【００６１】
また、例えば撮像装置１の横姿勢で撮影された撮影画像Ｇｈ０(図８)を背面モニタ１２に表示する際には、撮像装置１が撮影時と同じ横姿勢の場合、撮影画像Ｇｈ０の画素配列を変更せず、そのまま背面モニタ１２に横用の表示態様として表示する。一方、撮像装置１が撮影時と異なる縦姿勢の場合には、撮影画像Ｇｈ０の四隅を図８中の矢印Ｔｈ１〜４のように配置変更させて画素配列を時計回りに９０度回転させた回転画像Ｇｈ１の左右に黒画像Ｂｋを配置した表示用の画像Ｇｅを背面モニタ１２に縦用の表示態様として表示する。この表示用の画像Ｇｅは、上記の表示用の画像Ｇｄと同様に、画像処理部５において撮影画像Ｇｈ０の画素配列の並び替え等が行われることで生成される。
【００６２】
以上のように撮像装置１では、撮像装置１の姿勢が横姿勢であるか縦姿勢であるかに応じてＯＳＤ生成部５１や画像処理部５により背面モニタ１２での表示態様を切替えることができるが、次に撮像装置１の姿勢検出について説明する。
【００６３】
＜撮像装置１の姿勢検出＞
撮像装置１では、その姿勢が横姿勢であるか縦姿勢であるかを、縦位置コントロールグリップ７から送られる信号に基づき判断するようになっている。この姿勢検出について以下で説明する。
【００６４】
縦位置コントロールグリップ７の電源スイッチ７１がオン位置に設定されている場合には、縦位置コンロトールグリップ７がユーザによって実際に使用されている可能性が高い。換言すれば、電源スイッチ７１で設定されている電源のオン・オフに基づき、縦位置コントロールグリップ７が実質的に使用されている使用状態か否かが検知できる。そして、縦位置コントロールグリップ７が使用状態の場合には、図３のように撮像装置１が縦姿勢でユーザによって保持されている状態と考えられる。
【００６５】
以上のことから、撮像装置１に装着された縦位置コントロールグリップ７における電源スイッチ７１のオン・オフを検知すれば、撮像装置１が縦姿勢であるか横姿勢であるかの姿勢検出を行えることとなる。
【００６６】
したがって、撮像システム１００では、縦位置コントロールグリップ７が使用中であるか否かの検知が可能な電源スイッチ７１からのオン・オフ信号を撮像装置１の制御部６で受け取り、このオン・オフ信号に対応した縦横制御信号(図５中の破線の矢印)を制御部６からＯＳＤ生成部５１および画像処理部５に送信するようにしている。より詳しくは、縦位置コントロールグリップ７が装着された撮像装置１に電源スイッチ７１からオン信号が出力された場合には、縦姿勢と判定して縦用の表示態様で表示する旨の制御信号を制御部６からＯＳＤ生成部５１および画像処理部５に送出する一方、撮像装置１に電源スイッチ７１からオフ信号が出力された場合には、横姿勢と判定して横用の表示態様で表示する旨の制御信号を制御部６からＯＳＤ生成部５１および画像処理部５に送出する。
【００６７】
以上のような撮像システム１００の動作により、撮像装置１に装着された縦位置コントロールグリップ７が使用されている使用状態か否かを検知する電源スイッチ７１からの検知結果(オン・オフ信号)に基づき撮像装置１の姿勢を判定し、その撮像装置１の姿勢が横姿勢であるか縦姿勢であるかに応じて背面モニタ１２での表示態様を切替えるため、横姿勢・縦姿勢を簡易に検出して適切な表示態様による表示を背面モニタ１２で行える。
【００６８】
なお、撮像システム１００では、縦位置コントロールグリップ７における電源スイッチ７１からのオン・オフ信号に基づき撮像装置１の姿勢を判定するのは必須でなく、縦位置コントロールグリップ７における把持検出部７８からの信号に基づき撮像装置１の姿勢を判定するようにしても良い。これに関して以下で説明する。
【００６９】
縦位置コントロールグリップ７の把持検出部７８によりグリップ部７０に対するユーザの把持が検出される場合には、縦位置コンロトールグリップ７がユーザによって実際に使用されている可能性が高い。換言すれば、把持検出部７８で検出される把持の有無に基づき、縦位置コントロールグリップ７が使用されている使用状態か否かが検知できる。そして、縦位置コントロールグリップ７が使用状態の場合には、図３のように撮像装置１が縦姿勢でユーザによって保持されている状態と考えられる。
【００７０】
以上のことから、撮像装置１に装着された縦位置コントロールグリップ７の把持検出部７８によりグリップ部７０がユーザによって把持されているか否かを検知すれば、撮像装置１が縦姿勢であるか横姿勢であるかの姿勢検出を行えることとなる。
【００７１】
したがって、撮像システム１００では、縦位置コントロールグリップ７が使用中であるか否かの検知が可能な把持検出部７８からの把持検出信号(検知結果)を撮像装置１の制御部６で受け取り、この把持検出信号に対応した縦横制御信号(図５中の破線の矢印)を制御部６からＯＳＤ生成部５１および画像処理部５に送信するようにする。より詳しくは、縦位置コントロールグリップ７が装着された撮像装置１に把持検出部７８から把持が検出された旨の信号が出力された場合には、縦姿勢と判定して縦用の表示態様で表示する旨の制御信号を制御部６からＯＳＤ生成部５１および画像処理部５に送出する一方、把持が検出されない旨の信号が把持検出部７８から撮像装置１に出力された場合には、横姿勢と判定して横用の表示態様で表示する旨の制御信号を制御部６からＯＳＤ生成部５１および画像処理部５に送出する。
【００７２】
以上のように縦位置コントロールグリップ７における把持検出部７８からの信号に基づき撮像装置１の姿勢を判定するようにしても、電源スイッチ７１の場合と同様に、横姿勢・縦姿勢を簡易に検出して適切な表示態様による表示を背面モニタ１２で行える。
【００７３】
＜変形例＞
・上記の実施形態においては、図５に示すように縦位置コントロールグリップ７の電源スイッチ７１や把持検出部７８からの信号を撮像装置１の制御部６を介してＯＳＤ生成部５１および画像処理部５に縦横制御信号として伝送するのは必須でなく、図９に示すように電源スイッチ７１や把持検出部７８からの信号を縦横制御信号としてダイレクトにＯＳＤ生成部５１および画像処理部５に伝送するようにしても良い。これによっても、横姿勢・縦姿勢を簡易に検出して適切な表示態様による表示が可能となる。
【００７４】
・上記の実施形態においては、背面モニタ１２のように画像表示が可能な表示部での表示態様を撮像装置の姿勢に応じて切替えるのは必須でなく、液晶表示パネル９６(図２)のように画像表示を行えない表示部での表示態様を撮像装置の姿勢に応じて切替えるようにしても良い。
【００７５】
・上記の実施形態の把持検出部７８においては、圧力センサによって把持の検出を行うのは必須でなく、メカスイッチ等の機械式センサや静電センサによって把持の検出を行うようにしても良い。
【００７６】
・上記の実施形態においては、画像に文字情報等が重畳された画面に関する縦用・横用の表示態様を切替えるようにしても良い。
【図面の簡単な説明】
【００７７】
【図１】本発明の実施形態に係る撮像装置１の外観構成を示す図である。
【図２】撮像装置１の外観構成を示す図である。
【図３】撮像装置１に装着された縦位置コントロールグリップ７の構成を示す背面外観図である。
【図４】撮像装置１から取り外された縦位置コントールグリップ７の構成を示す正面外観図である。
【図５】撮像システム１００の電気的な構成を示すブロック図である。
【図６】横姿勢・縦姿勢での表示態様を説明するための図である。
【図７】横姿勢・縦姿勢での表示態様を説明するための図である。
【図８】横姿勢・縦姿勢での表示態様を説明するための図である。
【図９】本発明の変形例に係る縦位置コントロールグリップ７からの信号の伝送について説明するための図である。
【符号の説明】
【００７８】
１  撮像装置
２  カメラ本体部
３  撮影レンズユニット
４  撮像部
５  画像処理部
６  制御部
７  縦位置コントロールグリップ
１１、７６  シャッターボタン
１４、７０  グリップ部
１２  背面モニタ
５１  ＯＳＤ生成部
５２  画像記憶部
７１、８１  電源スイッチ
７８  把持検出部
１００  撮像システム
【図１】
0004930272.tif 000002
【図２】
0004930272.tif 000003
【図３】
0004930272.tif 000004
【図４】
0004930272.tif 000005
【図５】
0004930272.tif 000006
【図７】
0004930272.tif 000007
【図８】
0004930272.tif 000008
【図９】
0004930272.tif 000009
【図６】
0004930272.tif 000010